(57)【要約】【課題】簡単な構成で外観の悪化を防ぐとともに各部材をしっかりと固定した屋根の谷部の構造を提供する。【解決手段】複数の屋根材３は、矩形形状を有し、屋根１の斜面方向に重ね葺きされるとともに水平方向につき合わされるようにして設けられている。谷部１０において、屋根材３間には屋根材３の水平方向の段ごとに、金属製の板状のカバー部材４が設けられている。屋根材３の切断面３ａは、谷部１０において露出されて、切断面３ａ，３ａ間に隙間５が形成されている。隙間５から、谷樋１２が露出される状態となっている。すなわち、カバー部材４を設けることによって隙間５が隠されて、谷樋１２もカバー部材４によって隠されている。【選択図】図２
2019065620.tif 000002
【特許請求の範囲】
【請求項１】
野地板の上に矩形の屋根材が斜面方向に重ね葺きされるとともに前記斜面方向に垂直な方向につき合わされて設けられた屋根の谷部の構造であって、
前記野地板の谷部に沿って谷樋が設けられ、該谷樋に対して０°より大きく１８０°未満の角度をなすようにして前記谷樋から延びる吊子が前記野地板に第１固定部材によって固定された状態で前記谷樋が前記野地板に固定され、
前記野地板の谷部を挟むように設けられた各屋根材の各切断面間に隙間が形成されており、該隙間から前記谷樋が露出され、
前記隙間を隠すようにして前記屋根材の段ごとにカバー部材が設けられ、該カバー部材は、谷芯に沿って前記野地板の谷部の角度と同じ角度をなすように曲げられた板状の部材であり、前記カバー部材には、前記谷芯の一方の端部に接続する前記カバー部材の縁部が該カバー部材の本体と間隔をあけるように折り曲げられた状態で前記屋根材を挿入可能な２つの係合部が前記谷芯を挟むように設けられており、前記斜面方向に関して下側の前記屋根材の縁部側から前記屋根材が前記係合部に挿入されていると共に前記谷芯が前記谷樋の上方で該谷樋に沿う状態で前記カバー部材が設けられ、前記カバー部材は、前記谷芯の両側において少なくとも部分的に前記吊子よりも前記谷芯とは反対側に延びる固定領域を有し、該固定領域が前記屋根材に第２固定部材によって固定されている、屋根の谷部の構造。
【請求項２】
前記係合部の端部に接続する前記カバー部材の縁部は前記斜面方向と平行に延びている、請求項１に記載の屋根の谷部の構造。
【請求項３】
前記係合部の端部に接続する前記カバー部材の縁部は、前記カバー部材と前記屋根部材との間へ折り曲げられている、請求項１または２に記載の屋根の谷部の構造。
【発明の詳細な説明】
【技術分野】
【０００１】
この発明は、屋根の谷部の構造に係り、特に、野地板の上に矩形の屋根材が斜面方向に重ね葺きされるとともに斜面方向に垂直な方向につき合わされた屋根の谷部の構造に関する。
【背景技術】
【０００２】
従来の屋根の谷部の構造は、図５に示されるように、屋根の谷部１００の両側に設けられた屋根材１０１，１０１間の隙間から谷樋１０２が露出している。屋根材１０１，１０１間の隙間を画定する屋根材１０１の切断面１０１ａは、谷樋１０２に沿って直線状に揃えるのに高い技術が必要で、切断面１０１ａが谷樋１０２に沿って直線状に揃わないと意匠性が悪くなる。屋根材１０１，１０１間の隙間からの谷樋１０２の露出と、屋根材１０１の切断面１０１ａの意匠性の悪化とによる屋根の外観の悪化を防ぐために、特許文献１には、図６に示されるように、対角線方向を谷芯１１１とした金属板製の方形状の谷納め本体１１０を屋根の谷部に設ける発明が記載されている。
【０００３】
この谷納め本体１１０は、谷芯１１１の一方の端部に下段谷納め用嵌合部１１２を両側に有する入隅部１１３を設け、この入隅部１１３の両外側辺縁を３回折り込むことによって、先端に巻き込みリップ１１４を有する二つ折り形ルーフ端クリップ部１１５が形成され（図７参照）、残りの２つの辺縁をハゼ折りすることによって上段ルーフ嵌合部１１６が形成されている。図５に示される屋根の谷部１００にこの谷納め本体１１０を設ける場合、切断面１０１ａから屋根材１０１を折り形ルーフ端クリップ部１１５に挿入することにより、谷納め本体１１０は屋根材１０１に固定され、谷部１００に沿って配置される各谷納め本体１１０は、入隅部１１３を下段の谷納め本体の上段ルーフ嵌合部１１６の端に巻き込みながら位置させることにより、互いに連結されている。
【先行技術文献】
【特許文献】
【０００４】
【特許文献１】実開昭６２−２１２３１号公報
【発明の概要】
【発明が解決しようとする課題】
【０００５】
しかしながら、谷納め本体１１０の構成は非常に複雑なため、谷納め本体１１０の製造に手間及びコストがかかるといった問題点があった。また、谷納め本体１１０の固定に、釘やリベットを用いていないが、通常は確実な固定を行うために釘やリベットで谷納め本体１１０を屋根材１０１に固定するが、図５に示される屋根の谷部１００にこの谷納め本体１１０を設けようとすると、防水性が要求される谷樋１０２の幅内に谷納め本体１１０が配置される構成となってしまうため、釘やリベットでの固定ができないといった問題点もあった。
【０００６】
この発明はこのような問題点を解決するためになされたもので、簡単な構成で外観の悪化を防ぐとともに各部材をしっかりと固定した屋根の谷部の構造を提供することを目的とする。
【課題を解決するための手段】
【０００７】
この発明に係る屋根の谷部の構造は、野地板の上に矩形の屋根材が斜面方向に重ね葺きされるとともに斜面方向に垂直な方向につき合わされて設けられた屋根の谷部の構造であって、野地板の谷部に沿って谷樋が設けられ、谷樋に対して０°より大きく１８０°未満の角度をなすようにして谷樋から延びる吊子が野地板に第１固定部材によって固定された状態で谷樋が野地板に固定され、野地板の谷部を挟むように設けられた各屋根材の各切断面間に隙間が形成されており、隙間から谷樋が露出され、隙間を隠すようにして屋根材の段ごとにカバー部材が設けられ、カバー部材は、谷芯に沿って野地板の谷部の角度と同じ角度をなすように曲げられた板状の部材であり、カバー部材には、谷芯の一方の端部に接続するカバー部材の縁部がカバー部材の本体と間隔をあけるように折り曲げられた状態で屋根材を挿入可能な２つの係合部が谷芯を挟むように設けられており、斜面方向に関して下側の屋根材の縁部側から屋根材が係合部に挿入されていると共に谷芯が谷樋の上方で谷樋に沿う状態でカバー部材が設けられ、カバー部材は、谷芯の両側において少なくとも部分的に吊子よりも谷芯とは反対側に延びる固定領域を有し、固定領域が屋根材に第２固定部材によって固定されている。
係合部の端部に接続するカバー部材の縁部は斜面方向と平行に延びていてもよい。
係合部の端部に接続するカバー部材の縁部は、カバー部材と屋根部材との間へ折り曲げられていてもよい。
【発明の効果】
【０００８】
この発明によれば、隙間を隠すようにして屋根材の段ごとに設けられたカバー部材は、谷芯に沿って野地板の谷部の角度と同じ角度をなすように曲げられた板状の部材であり、カバー部材には、谷芯の一方の端部に接続するカバー部材の縁部がカバー部材の本体と間隔をあけるように折り曲げられた状態で屋根材を挿入可能な２つの係合部が谷芯を挟むように設けられた構成を有し、このような簡単な構成で屋根の谷部の外観の悪化を防ぐことができる。また、斜面方向に関して下側の屋根材の縁部側から屋根材が係合部に挿入されていると共に谷芯が谷樋の上方で谷樋に沿う状態でカバー部材が設けられ、カバー部材は、谷芯の両側において少なくとも部分的に吊子よりも谷芯とは反対側に延びる固定領域を有し、固定領域が屋根材に第２固定部材によって固定されているので、カバー部材をしっかりと固定することができる。
【図面の簡単な説明】
【０００９】
【図１】この発明の実施の形態に係る屋根の谷部の構造を示す側面図である。
【図２】この実施の形態に係る屋根の谷部の構造を示す平面図である。
【図３】この実施の形態に係る屋根の谷部に設けられるカバー部材の背面図である。
【図４】図３において矢印ＩＶの方向で見た側面図である。
【図５】従来の屋根の谷部の構造を示す図である。
【図６】従来の屋根の谷部に設けられる谷納め本体の斜視図である。
【図７】図６のＶＩＩ−ＶＩＩ線に沿った断面図である。
【発明を実施するための形態】
【００１０】
以下、この発明の実施の形態を添付図面に基づいて説明する。
図１は、この発明の実施の形態に係る屋根の谷部の構造を示している。屋根１は、野地板２と、野地板２の上に設けられた複数の屋根材３とを備えている。屋根１には、谷部１０が存在する。２つの野地板２，２が水平方向に対してある角度を形成しながら互いの端部が接続されて、野地板２の谷部１１が構成されている。野地板２の谷部１１が構成された箇所に、屋根１の谷部１０が構成されている。谷部１１に沿って、防水機能を有する谷樋１２が設けられている。谷樋１２から谷樋１２に対して垂直方向に延びるように複数の吊子１３が設けられており、各吊子１３が野地板２に、第１固定部材である釘１４で打ち付けられて固定されることによって、谷樋１２が谷部１１に固定されている。
【００１１】
図２に示されるように、複数の屋根材３は、矩形形状を有し、屋根１の斜面方向に重ね葺きされるとともに斜面方向に垂直な方向（水平方向）につき合わされるようにして設けられている。谷部１０において、屋根材３，３間には屋根材３の水平方向の段ごとに、金属製の板状のカバー部材４が設けられている。屋根材３の切断面３ａは、谷部１０において露出されて、切断面３ａ，３ａ間に隙間５が形成されている。隙間５から、谷樋１２が露出される状態となっている。すなわち、カバー部材４を設けることによって隙間５が隠されて、谷樋１２もカバー部材４によって隠されている。
【００１２】
図３及び４に示されるように、カバー部材４は、谷芯２１に沿って、野地板２の谷部１１（図１参照）の角度と同じ角度をなすように曲げられた板状の部材である。カバー部材４には、谷芯２１の一方の端部に接続するカバー部材４の縁部がカバー部材４の本体と間隔をあけるように折り曲げられて構成された２つの係合部２２が、谷芯２１を挟むように設けられている。この間隔は、屋根材３（図１参照）の厚さと同等又はそれよりも大きく、屋根材３が係合部２２に挿入され得る間隔であればよい。係合部２２の端部に接続するカバー部材４の縁部は、係合部２２を構成する縁部が折り曲げられた側と同じ側にカバー部材４の本体と接するように折り曲げられて、防食縁部２３が構成されている。谷芯２１の他方の端部を含むカバー部材４の縁部２４は、その両端が三角形状に切り欠かれて、縁部２４の両端に切欠部２５が構成されている。
【００１３】
図１に示されるように、カバー部材４は、屋根１の斜面方向に関して下側の屋根材３の縁部３ｂ側から屋根材３が係合部２２に挿入されることによって、谷部１０において屋根材３の水平方向の段ごとに、屋根材３に対して取り付けられている。図２に示されるように、各カバー部材４の谷芯２１は、谷樋１２の上方で谷樋１２に沿うように配置されている。各カバー部材４には、吊子１３よりも谷芯２１とは反対側に延びる領域である固定領域２６が存在する。この固定領域２６が屋根材３に、第２固定部材である釘１５で打ち付けられて固定されることにより、カバー部材４は屋根材３にしっかりと固定されている。また、図１に示されるように、釘１５は、屋根材３を貫通して野地板２にも刺さっている。これにより、カバー部材４が屋根１の谷部１０の構成要件としてさらにしっかりと固定されている。また、屋根材３とカバー部材４とが重なり合う部分に公知のコーキング材を充填することにより、カバー部材４のさらなるしっかりとした固定が実現される。さらに、釘１５は、吊子１３よりも谷芯２１とは反対側に位置していることにより、谷樋１２に刺さることはないので、谷樋１２の防水性に何ら影響を与えることもない。
【００１４】
図２に示されるように、防食縁部２３は屋根１の斜面方向と平行に延びている。これにより、防食縁部２３付近の屋根材３上を流下する水は、防食縁部２３に沿って屋根１の傾斜方向に流下するので、カバー部材４と屋根材３との間に入り込んで係合部２２（図３及び４参照）に溜まることを防止できる。また、防食縁部２３を構成するカバー部材４の縁部の端縁は、カバー部材４と屋根材３との間に位置することになるので、風雨に直接曝されることはない。この端縁は、コーティングされないか、コーティングしてあっても不完全で一部が剥げ落ちていることが多く、錆等が発生しやすい箇所である。しかしながら、風雨に直接曝されることを防止する構成となっていることから、カバー部材４の寿命を長く保つことができる。カバー部材４の縁部のうち、折り曲げていない箇所、すなわち縁部２４や切欠部２５（図３参照）、切欠部２５と防食縁部２３との間の縁部は、斜面方向に重なり合う屋根材３，３間に位置していることから、それらの端縁も風雨に直接曝されることを防止でき、カバー部材４の寿命を長く保つことにつながる。
【００１５】
このように、隙間５を隠すようにして屋根材３の段ごとに設けられたカバー部材４は、谷芯２１に沿って野地板２の谷部１１の角度と同じ角度をなすように曲げられた板状の部材であり、カバー部材４には、谷芯２１の一方の端部に接続するカバー部材４の縁部がカバー部材４の本体と間隔をあけるように折り曲げられた状態で屋根材３を挿入可能な２つの係合部２２，２２が谷芯２１を挟むように設けられた構成を有し、このような簡単な構成で屋根１の谷部１０の外観の悪化を防ぐことができる。また、斜面方向に関して下側の屋根材３の縁部３ｂ側から屋根材３が係合部２２に挿入されていると共に谷芯２１が谷樋１２の上方で谷樋１２に沿う状態でカバー部材４が設けられ、カバー部材４は、谷芯２１の両側において少なくとも部分的に吊子１３よりも谷芯２１とは反対側に延びる固定領域２６を有し、固定領域２６が屋根材３に釘１５で打ち付けられて固定されているので、カバー部材４をしっかりと固定することができる。
【００１６】
この実施の形態では、第１固定部材及び第２固定部材はそれぞれ、釘１４及び１５であったが、リベットやボルト等であってもよい。
【００１７】
この実施の形態では、複数の吊子１３が谷樋１２から谷樋１２に対して垂直方向に延びるように設けられているが、この形態に限定するものではない。吊子１３は、谷樋１２を両側に引っ張るようにして固定する構成であればよいので、谷樋１２に対する吊子１３の角度は、０°より大きく１８０°未満、すなわち谷樋１２と平行でなければよい。
【符号の説明】
【００１８】
１  屋根、２  野地板、３  屋根材、３ａ  （屋根材の）切断面、３ｂ  （屋根材の）縁部、４  カバー部材、５  隙間、１０  （屋根の）谷部、１１  （野地板の）谷部、１２  谷樋、１３  吊子、１４  釘（第１固定部材）、１５  釘（第２固定部材）、２１  谷芯、２２  係合部、２６  固定領域。
【図１】
2019065620.tif 000003
【図２】
2019065620.tif 000004
【図３】
2019065620.tif 000005
【図４】
2019065620.tif 000006
【図５】
2019065620.tif 000007
【図６】
2019065620.tif 000008
【図７】
2019065620.tif 000009